(57)【要約】【課題】  自動車に設けられる芳香・消臭装置の選択した芳香の種類・強さ又は消臭に連動して車室内の照明の色及び強さを変更制御することができる芳香・照明制御装置、及び車室内の照明の色及び強さに連動して芳香・消臭装置の放出する芳香の種類・強さ又は消臭を制御することができる芳香・照明制御装置を提供することを目的とする。【解決手段】  芳香を発生し、その芳香の種類を切り替え可能な芳香切り替え発生装置２３と、自動車車室内を照明する照明装置２５と、前記芳香切り替え発生装置２３により発生される芳香の種類に連動して前記照明装置２５の照明の色及び強さを制御することができる照明コントロール装置２４と、を具備してなるように構成する。【選択図】      図１
2005212667.tif 000002
【特許請求の範囲】
【請求項１】
芳香を発生し、その芳香の種類を切り替え可能な芳香切り替え発生装置（２３）と、
自動車車室内を照明する照明装置（２５）と、
前記芳香切り替え発生装置（２３）により発生される芳香の種類に連動して前記照明装置（２５）の照明の色及び強さを制御することができる照明コントロール装置（２４）と、
を具備してなることを特徴とする芳香・照明制御装置。
【請求項２】
前記芳香切り替え発生装置（２３）は芳香切り替え発生機能及び消臭機能を有することを特徴とする請求項１記載の芳香・照明制御装置。
【請求項３】
計器盤の照明色を変更可能な照明色コントロール装置（３２）と、
前記照明色コントロール装置（３２）により変更される照明色に対応して芳香の種類を指定することができるマイコン（３３）と、
前記マイコン（３３）からの信号により芳香の種類を変更することができる芳香切り替え発生装置（３４）と、
を具備してなることを特徴とする芳香・照明制御装置。
【請求項４】
前記芳香切り替え発生装置（３４）は芳香切り替え発生機能及び消臭機能を有することを特徴とする請求項３記載の芳香・照明制御装置。
【発明の詳細な説明】
【技術分野】
【０００１】
本発明は、芳香・照明制御装置に関し、さらに詳しく述べると、自動車に設けられる芳香・消臭装置の選択した芳香の種類・強さ又は消臭に連動して車室内の照明の色及び強さを変更制御することができる芳香・照明制御装置に関する。また、車室内の照明の色及び強さに連動して芳香・消臭装置の放出する芳香の種類・強さ又は消臭を制御することができる芳香・照明制御装置に関する。
【背景技術】
【０００２】
従来、車両の運転者を活性化させたり、リラックスさせるために、芳香を放出させる装置が用いられている。図３にその１例を示す。同図において、符号１は車両用芳香制御装置であり、該芳香制御装置１は初期設定装置の他に自動車用ナビゲーションシステム３、教師装置４、環境情報計測装置５、身体情報計測装置６のうちの１つ以上を備えており、それらの信号によって芳香発生装置２を制御して、環境や運転者１０の身体の状態に応じて最適の種類と濃度の芳香を発生させることができるようになっている。
【０００３】
上記従来の芳香制御装置においては、環境や運転者の身体の状態に応じて最適の種類と濃度の芳香を発生させることができるが、その装置は芳香の種類と強さを変更できるのみであった。また、従来の自動車の照明装置は色及び強さを変更できるものはあったが、その装置は照明のみに関するものであった。このため、従来は車両の室内の照明と芳香が統一されていなかった。例えば、計器盤やセンタクラスタスイッチの夜間照明、インジケータ証明が赤と青に変わったり、７色に変わるものもあるが、これらの変更は芳香とは別々に変更されるものであった。
【０００４】
そのため、刺激の欲しいとき（例えば眠い時）でも刺激臭は出せるが、照明はグリーンのままであったり、ゆったり乗りたいと考え、照明の色をグリーン系に変えても香りは刺激的な香りのままであったりして、室内の雰囲気として統一されておらず、沈静又は刺激作用が起きにくかった。
【特許文献１】特開平１１−２７８０４８号公報
【特許文献２】特開平１５−２２８６６２号公報
【発明の開示】
【発明が解決しようとする課題】
【０００５】
本発明は、上記のような従来の技術の問題点を解決することを目的とする。
本発明の目的は、自動車に設けられる芳香・消臭装置の選択した芳香の種類・強さ又は消臭に連動して車室内の照明の色及び強さを変更制御することができる芳香・照明制御装置を提供することにある。また他の目的は、車室内の照明の色及び強さに連動して芳香・消臭装置の放出する芳香の種類・強さ又は消臭を制御することができる芳香・照明制御装置を提供することにある。
本発明の上記したような目的やその他の目的は、以下の詳細な説明から容易に理解することができるであろう。
【課題を解決するための手段】
【０００６】
本発明の請求項１の芳香・照明制御装置は、芳香を発生し、その芳香の種類を切り替え可能な芳香切り替え発生装置２３と、自動車車室内を照明する照明装置２５と、前記芳香切り替え発生装置２３により発生される芳香の種類に連動して前記照明装置２５の照明の色及び強さを制御することができる照明コントロール装置２４と、を具備してなることを特徴とする。また請求項２は、前記芳香切り替え発生装置２３は芳香切り替え発生機能及び消臭機能を有することを特徴とする。
【０００７】
また、請求項３の芳香・照明制御装置は、計器盤の照明色を変更可能な照明色コントロール装置３２と、前記照明色コントロール装置３２により変更される照明色に対応して芳香の種類を指定することができるマイコン３３と、前記マイコン３３からの信号により芳香の種類を変更することができる芳香切り替え発生装置３４と、を具備してなることを特徴とする。また請求項４は、前記芳香切り替え発生装置３４は芳香切り替え発生機能及び消臭機能を有することを特徴とする。
【発明の効果】
【０００８】
本発明によれば、以下の詳細な説明から理解されるように、芳香・消臭を切り替える装置と、それに連動して自動車室内の照明色及び強さを制御する装置とにより、芳香・消臭剤の香りを変えた時に、それに合わせて照明インジケータ類の色を変えたり点灯させたりして、車室内を沈静化したいならその趣旨で光と香りを統一し、眠くなつたり、刺激的にしたい場合は、例えば赤い照明とレモン臭等、室内の芳香の切り替えに合わせて光（色・点灯状態）を変化させ、室内の光と香りを統一することができる。またメータの色を変えた時にそのムードに合った芳香剤に切り替えることができる。
【発明を実施するための最良の形態】
【０００９】
引き続いて、本発明をその実施形態を参照して説明する。なお、本発明は、これらの実施形態によって限定されるものでないことは言うまでもない。
図１は本発明の芳香・照明色制御装置の第１の実施形態を示すブロック図である。
【００１０】
本第１実施形態の芳香・照明色制御装置２０は同図に示すように、香り変更スイッチ２１、いねむり監視装置２２、芳香切り替え発生装置２３、照明コントロール装置２４、照明装置２５とにより構成されている。そして、香り変更スイッチ２１は、芳香切り替え発生装置２３に接続して芳香の種類を選択するスイッチである。また、いねむり監視装置２２は芳香切り替え発生装置２３に接続しており、運転者のいねむりの有無を監視する装置である。また、芳香切り替え発生装置２３は、前記香り変更スイッチ２１及びいねむり監視装置２２からの信号により指定された芳香の発生又は消臭する装置である。また、照明コントロール装置２４は、芳香切り替え発生装置２３に接続し、該芳香切り替え発生装置２３が発生する芳香に連動して照明装置２５の照明を制御する装置である。
【００１１】
このように構成された本第１実施形態の作用を次に説明する。例えば、香り変更スイッチ２１を押して芳香切り替え発生装置２３の発生臭を切り替えて刺激臭から癒されるような爽やかな香りか消臭剤にすれば、その信号が照明コントロール装置２４に伝わり、計器盤やセンタクラスタスイッチ、オーバーヘッドマップランプ、間接照明等の照明装置２５を赤からグリーンに変える。または、眠気を催し、香り変更スイッチ２１を押すか又はいねむり監視装置２２がそれを感知すると刺激臭と共に上記照明装置２５の色が赤くなりまた明るさも強くなる。このように、芳香と照明を連動して変化させることができる。
【００１２】
以上のように、本第１実施形態は、芳香・消臭剤の香りを変えた時に、それに合わせて照明インジケータ類の色を変えたり点灯させたりして、車室内を沈静化したいならその趣旨で光と香りを統一し、眠くなつたり、刺激的にしたい場合は、例えば赤い照明とレモン臭等、室内の芳香の切り替えに合わせて光（色・点灯状態）を変化させ、室内の光と香りを統一することができる。
【００１３】
図２は本発明の芳香・照明色制御装置の第２の実施形態を示すブロック図である。
本実施形態の芳香・照明色制御装置３０は同図に示すように、計器盤３１、照明色コントロール装置３２、マイコン３３、芳香切り替え発生装置３４とにより構成されている。  そして、照明色コントロール装置３２は、計器盤３１の照明の色を変える信号を出すことができ、マイコン３３は前記照明色コントロール装置３２からの信号によりどの芳香剤又は消臭剤を用いるかの信号を芳香切り替え発生装置３４に送るようになっている。
【００１４】
なお、計器盤３１は前記照明色コントロール装置３２により、例えば白から青、赤、紫、黄、緑等７色に変化する。また、芳香の種類の一つとして無臭も含め、消臭剤と特定の色も対応させる。また、レモン色とレモン臭、森林の香りと翠色、無臭は白色のように色と香りが直結するようなものは対応を固定しておき、それ以外については使用者が変えられるようにしても良い。
【００１５】
このように構成された本第２実施形態の作用を次に説明する。先ず照明色コントロール装置３２のダイヤルを回わして計器盤３１の照明色を指定する。同時にその信号をマイコン３３に送る。照明色コントロール装置３２より信号を受けたマイコン３３は、その照明色に対応した、例えば、白の時は消臭剤を、緑のときは檜の香りを、黄色の時はレモンの香りを出せという信号を芳香切り替え発生装置３４に送る。この信号を受けた芳香切り替え発生装置３４はその信号により指定された芳香、又は消臭剤を発生する。
以上のように、本第２実施形態は、計器盤の色を変えた時にそのムードに合った芳香剤を放出することができる。
【００１６】
以上、本発明を特にその最良の形態について説明した。最後のまとめとして、本発明のバリエーションを以下に付記として列挙する。
ライトコントロールによりインパネ照明の光を強くした時、香りを強くするように光量と芳香の強さを連動させても良い。
色と香りは必ずしも１対１でなく混合色でも、混合臭にしても良い。その他の照明として足元照明やインテリア照明当の色を変えても良い。また時計やディスプレイの色や模様や背景を変えてもうごかしても良い。
【産業上の利用可能性】
【００１７】
本発明は乗用車だけでなく、観光バスや、通常のバス、或いは大型トラック等に用いることもできる。さらには、住宅のリビングルーム等に応用することも可能である。
【図面の簡単な説明】
【００１８】
【図１】本発明の芳香・照明色制御装置の第１の実施形態を示すブロック図である。
【図２】本発明の芳香・照明色制御装置の第２の実施形態を示すブロック図である。
【図３】従来の芳香制御装置の１例を示す図である。
【符号の説明】
【００１９】
２０，３０…芳香・照明色制御装置
２１…香り変更スイッチ
２２…いねむり監視装置
２３，３４…芳香切り替え発生装置
２４…照明コントロール装置
２５…照明装置
３１…計器盤
３２…照明色コントロール装置
３３…マイコン
【図１】
2005212667.tif 000003
【図２】
2005212667.tif 000004
【図３】
2005212667.tif 000005